(57)【要約】【課題】上・下水道施設の管理及び監視を有効に行うことができるとともに、ランニングコストを低減することにある。【解決手段】上・下水道の各槽に、データ監視装置１Ａ〜５Ａを設け、監視が必要な項目のデータを取得し、ドゥーパ（ＤｏＰａ）網８を介して監視センターサーバ１０に送信する。監視センターサーバ１０のパソコン１１は、受信した電子データを記憶するとともに、インターネット１４及び携帯電話通信網１６を経由して複数の設備管理者が持つ携帯電話１７に電子メールとして転送する。電子メールを受信した特定の設備管理者は、返信メールを監視センターサーバ１０に送信する。その後に、監視センターサーバ１０から特定の設備管理者が電子メールを受信したことを他の設備管理者が持つ携帯電話１７に返信確認メールとして送信する。【選択図】      図１
2004187260.tif 000002
【特許請求の範囲】
【請求項１】
上・下水道施設に関する監視項目のデータを収集するデータ監視装置と、
上記データ監視装置により収集されたデータを電子データとしてドゥーパ網を通してパケット通信により送信するデータ送信手段と、
前記ドゥーパ網に接続され、かつ前記データ送信手段から送信された電子データを受信して、この電子データを監視するデータ監視用のサーバと、
上記サーバからインターネット網を通して送信された電子メールを受信する設備管理者用の携帯端末と
を備えたことを特徴とする上・下水道施設用の遠隔監視システム。
【請求項２】
請求項１において、前記サーバは、監視項目の電子データを記憶する機能と、該電子データを電子メールとして設備管理者用の携帯端末に送信した後、所定時間内に前記携帯端末から返信メールが有ったか否かを判定する返信メール有無判定機能と、所定時間内に返信メールが有った場合に返信確認メールを送信する機能とを備えている上・下水道施設用の遠隔監視システム。
【請求項３】
請求項１又は２において、前記データ監視装置は、監視項目に異常が発生した場合に、その異常データを収集する機能と、前記異常が復旧した場合にその復旧データを収集する機能とを備え、前記サーバは異常データ及び復旧データが受信された場合に、それらのデータを電子メールとして設備管理者用の携帯端末に送信する機能を備えている上・下水道施設用の遠隔監視システム。
【発明の詳細な説明】
【０００１】
【発明の属する技術分野】
本発明は、簡易上水道等の小規模上水道施設及び簡易下水道施設等の上・下水道施設の運転状態や各種の事象データを遠隔地にて監視するための上・下水道施設用の遠隔監視システムに関する。
【０００２】
【従来の技術】
例えば、上水道においては、配水槽の配水池水位等を常時あるいは定期的に監視する必要がある。自治体の管理センターでは、異常信号を受信すると、管理者を選定して設備の異常の原因究明と復旧に赴かせる。
【０００３】
【発明が解決しようとする課題】
しかしながら、一般に上水道の浄水場等の供給設備は山間地に設置されることが多い。このため、自治体職員等が各箇所を巡回して監視・点検作業を行なう場合、多くの時間を要し、点検時間外に故障・緊急事態等が発生した場合、対応が遅れてしまうおそれがある。
【０００４】
この発明の目的は、上記従来の技術に存する問題点を解消して、上・下水道設備の管理及び監視を有効に実行できて、緊急事態が発生しても迅速に対応できるとともに、ランニングコストが大幅に低減できる上・下水道施設用の遠隔監視システムを提供することにある。
【０００５】
【課題を解決するための手段】
上記問題点を解決するために、請求項１に記載の発明は、上・下水道施設に関する監視項目のデータを収集するデータ監視装置と、上記データ監視装置により収集されたデータを電子データとしてドゥーパ網を通してパケット通信により送信するデータ送信手段と、前記ドゥーパ網に接続され、かつ前記データ送信手段から送信された電子データを受信して、この電子データを監視するデータ監視用のサーバと、上記サーバからインターネット網を通して送信された電子メールを受信する設備管理者用の携帯端末とを備えたことを要旨とする。
【０００６】
請求項２に記載の発明は、請求項１において、前記サーバは、監視項目の電子データを記憶する機能と、該電子データを電子メールとして設備管理者用の携帯端末に送信した後、所定時間内に前記携帯端末から返信メールが有ったか否かを判定する返信メール有無判定機能と、所定時間内に返信メールが有った場合に返信確認メールを送信する機能とを備えていることを要旨とする。
【０００７】
請求項３に記載の発明は、請求項１又は２において、前記データ監視装置は、監視項目に異常が発生した場合に、その異常データを収集する機能と、前記異常が復旧した場合にその復旧データを収集する機能とを備え、前記サーバは異常データ及び復旧データが受信された場合に、それらのデータを電子メールとして設備管理者用の携帯端末に送信する機能を備えていることを要旨とする。
【０００８】
（作用）
請求項１に記載の発明は、自治体職員等が上・下水道施設の監視・点検にまわる作業が省けるほか、２４時間監視することが可能であり、故障、緊急事態等には設備管理者用の携帯端末に異常情報を送信することが可能になり、即座に対応できる。
【０００９】
請求項２に記載の発明は、所定時間内に携帯端末から返信メールが有ったか否かを判定し、所定時間内に返信メールが有った場合に返信確認メールが送信されるので、異常の復旧作業に当たる設備管理者を他の設備管理者に報知することができる。
【００１０】
請求項３に記載の発明は、異常が復旧した場合にその復旧データが復旧メールとして設備管理者用の携帯端末に送信され、異常の復旧を各設備管理者に報知することができる。
【００１１】
【発明の実施の形態】
以下、本発明を具体化した上・下水道施設用の遠隔監視システムの一実施形態を図面に基づいて説明する。
【００１２】
図２に示す上水道設備１５においては、川からくみ上げた原水から小石，砂等の異物を取り除くための沈殿濾過槽１、その沈殿濾過槽１からの処理水に対して滅菌消毒を施すための滅菌槽２、滅菌されて配水に供するための浄水を一時的に貯留するための配水槽３が設置されている。
【００１３】
各槽の近傍にはそれぞれデータ監視装置１Ａ，２Ａ，３Ａが設けられている。これらのデータ監視装置１Ａ，２Ａ，３Ａは、それぞれ配水池水位、薬液槽液位等の各槽１〜３の水位、流量積算パルス入力等の日常的監視項目を監視する。又、前記データ監視装置１Ａ〜３Ａは、セキュリティ関連機器の異常、流量関係の異常、配水池残留塩素の異常、機器故障、データ監視装置電源断等の異常監視項目を常時あるいは定時監視する。そして、それらのデータ監視装置１Ａ，２Ａ，３Ａは、それらの監視項目に関するデータを記憶媒体に保存するとともに、図１に示すデータ送信手段としての付属送信機（ＮＴＴドコモ株式会社製の商品名モバイルアーク）１ａ，２ａ，３ａから、前述の保存されたデータをドゥーパ（ＤｏＰａ）網８及びルーター９を介してパケット通信により例えば自治体の監視センターサーバ１０へ常時あるいは定時送信する。
【００１４】
図１に示すように、監視センターサーバ１０は、パソコン１１を備えている。前記パソコン１１は、図示しないが各種の演算処理を行う中央演算処理装置（ＣＰＵ）と、記憶媒体としてのランダムアクセスメモリー（ＲＡＭ）と、各種のプログラムを記憶するリードオンリーメモリー（ＲＯＭ）とを備えている。前記監視センターサーバ１０は、ドゥーパ（ＤｏＰａ）網８から送信されてくる監視項目の電子データを受信して、この電子データをランダムアクセスメモリー（ＲＡＭ）に蓄積する。ＲＡＭの他に、ハードディスク等の記録媒体を用いてもよい。
【００１５】
前記監視センターサーバ１０には、モデム１３、インターネット１４及び携帯電話通信網１６を経由して携帯電話１７が接続可能になっている。携帯電話１７は自治体の複数の設備管理者がそれぞれ所有する。
【００１６】
又、前記監視センターサーバ１０は、前記監視データを電子メールとして設備管理者用の前記携帯電話１７に送信した後、所定時間内に前記携帯電話１７から返信メールが有ったか否かを判定する返信メール有無判定機能と、所定時間内に返信メールが有った場合に返信確認メールを送信する機能とを備えている。前記監視センターサーバ１０のＲＡＭ等の記憶媒体は、監視項目の電子データ等を記憶する。
【００１７】
従って、例えば、前記配水槽３の水位が異常水位に達するような異常事態が発生すると、データ監視装置３Ａはそれを感知して、異常事態を示すデータが電子データとしてドゥーパ（ＤｏＰａ）網８及びルーター９を介して、監視センターサーバ１０に送信する。
【００１８】
前記監視センターサーバ１０は、この異常事態の電子データを受信すると、上水道設備１５を管理している自治体職員の携帯電話１７の番号を記憶媒体より呼び出し、携帯電話１７に異常の電子データを電子メールとして発信する。それとともに、監視センターサーバ１０のパソコン１１の記憶媒体に電子メールの内容（データ）を記憶する。従って、上水設備管理者が携帯電話１７の画面で異常事態を確認でき、又、監視センターサーバ１０のパソコン１１で、同様に異常事態の内容を確認できる。
【００１９】
なお、前記データ監視装置１Ａ，２Ａ，３Ａに、セキュリティーシステムを備えることにより、不審人物の侵入時や火災時にもデータ監視装置１Ａ，２Ａ，３Ａから異常データあるいは警報データを電子データとしてパケット通信により送信できる。
【００２０】
さらに、図２に示すように、この実施形態は、下水道設備５１にも適用されている。すなわち、下水道設備５１の中継ポンプ４、下水処理場５にもデータ監視装置４Ａ，５Ａがそれぞれ設置されている。そして、これらのデータ監視装置４Ａ，５Ａにおいて監視データを記憶媒体に保存する。そして、データ送信手段としての付属送信機（モバイルアーク）４ａ，５ａから、前述の保存されたデータを、前記データ監視装置１Ａ，２Ａ，３Ａと同様にドゥーパ（ＤｏＰａ）網８及びルーター９を介してパケット通信により監視センターサーバ１０へ送信する。従って、下水道設備５１の監視を上水道設備１５と同様に行うことができる。なお、ここで、中継ポンプ４は、家庭排水等を低地から揚げる場合等に用いられ、この中継ポンプ４の機器運転状況が監視項目となる。又、下水処理場においては、各種設備の運転状況等が監視項目となる。もちろん、上水道設備１５と同様に、セキュリティ事項を監視項目としてもよい。
【００２１】
監視センターサーバ１０は、例えば１０台の携帯電話１７へ電子メールを転送する登録機能を有している。又、サーバ１０は、転送時間帯も午前、午後の区分、曜日の区分等の設定を行うことができるようになっている。例えば、月曜日から土曜日までの午前中のみとか、一日間隔の午前中等の設定ができるようにしている。
【００２２】
一方、携帯電話１７は文字情報を操作することなく、返信メールを監視センターサーバ１０に送信することができるようになっている。この返信メールには該返信メールを送信した携帯電話１７の登録番号、機種等のデータ及び先に受信した電子メールの全部のデータが含まれる。
【００２３】
さらに、監視センターサーバ１０は、特定の携帯電話１７からの返信メールを受信すると、その返信メールのデータから返信メールを送ってこない携帯電話１７を判断する。そして、これらの他の携帯電話１７に対し特定の携帯電話１７から返信メールがあった旨の返信確認メールを送信する機能を有している。そして、異常発生メールを監視センターサーバ１０が受信したとき、それを当直の複数の設備管理者の携帯電話１７に報知し、そのうちの特定の設備管理者が異常を確認すると、他の設備管理者へ返信確認メールを送ることにより、複数の設備管理者が異常の復旧作業に当たるのを回避するようにしている。
【００２４】
次に、前記のように構成した上・下水道施設用の遠隔監視システムについて、その動作を説明する。
図３はデータ監視装置１Ａ〜５Ａの動作を示すフローチャートである。
【００２５】
例えば、１つのデータ監視装置１Ａにおいて、ステップＳ１で異常が発生したか否かが判断され、イエスの場合にはステップＳ２において異常電子データが作成されてデータ監視装置１Ａ内の記録媒体に記録される。この異常電子データとしては、設備の名称、異常の内容、その発生日時等がある。
【００２６】
次に、ステップＳ３において付属送信機１ａから異常電子データがパケット通信にて監視センターサーバ１０に送信される。次に、ステップＳ４において異常が復旧したか否か判断され、イエスの場合にはステップＳ５において復旧データから復旧電子データが作成され、データ監視装置１Ａ内の記憶媒体に記憶される。その後、ステップＳ６において復旧電子データがパケット通信により監視センターサーバ１０へ送信される。
【００２７】
次に、図４に基づいて監視センターサーバ１０側の動作について説明する。
ステップＳ１において、異常電子データが受信されたか否かが判断され、イエスの場合には、ステップＳ２において異常電子データがサーバ１０のパソコン１１の記憶媒体に記憶される。次に、ステップＳ３において、前記異常電子データが異常メールとして携帯電話１７に送信される。
【００２８】
上記の異常メールの送信によって図５に示す携帯電話１７においては、ステップＳ１で異常メールが受信され、ステップＳ２で異常メールが携帯電話１７内の記憶媒体に記憶される。
【００２９】
そして、図５に示す携帯電話１７において、ステップＳ３で異常確認メールが作成されて、この異常確認メールが監視センターサーバ１０に返信される。
上記異常確認メールが監視センターサーバ１０によって受信されると、図４に示すステップＳ４において、所定時間内に上記異常確認メールの返信メールが有ったか否かが判断され、イエスの場合には、ステップＳ５において異常確認メールが各設備管理者の携帯電話１７に送信される。このため、図５に示すステップＳ４において監視センターサーバ１０からの返信確認メールが各設備管理者の携帯電話１７によってそれぞれ受信される。この結果、各設備管理者の内どの設備管理者が異常の復旧作業に向かっているかが他の設備管理者に報知されることになる。
【００３０】
その後、特定の設備管理者が上・下水道施設に生じた異常の復旧作業を終えると、図４に示すフローチャートにおいて復旧メールがあったか否かを判断するステップＳ６において異常が復旧したと判断される。そして、ステップＳ７において復旧メールがパソコン１１の記憶媒体に記憶されるとともに、ステップＳ８において復旧メールが携帯電話１７へ送信される。
【００３１】
これによって、図５に示すように携帯電話１７側ではステップＳ５において復旧メールが受信され、この復旧メールがステップＳ６において記憶媒体により記憶される。
【００３２】
復旧作業の担当者は監視センターサーバ１０においてパソコン１１の記憶媒体に処置データを書き込む。このデータはパソコン１１のディスプレイに表示される。
【００３３】
上記実施形態の遠隔監視システムによれば、以下のような効果を得ることができる。
（１）上記実施形態では、上水道設備１５及び下水道設備５１の各種の監視項目を監視センターのパソコン１１や携帯電話１７で確認できるため、設備管理者が現場に足を運ぶ必要がない。従って、少ない担当者で、広範囲で、多数の設備を管理でき、管理コストを大幅に低減できる。
【００３４】
（２）データ監視装置１Ａ，２Ａ，３Ａ，４Ａ，５Ａは、上水道設備１５及び下水道設備５１の所要箇所にそれぞれに設けられており、緊急事態が発生すると、いち早く監視センターサーバ１０を介して携帯電話１７へ異常メールを発信する。このため、故障予測、危機回避、緊急事態等の警報情報をいち早く知ることができ、復旧作業に迅速に対応することが可能である。
【００３５】
（３）ランニングコスト面では、ドゥーパ（ＤｏＰａ）網８を介してパケット通信を行うことにより、格段に低減することができ、高額な無線監視システムを導入することなく、上水道設備１５や下水道設備５１を監視することができる。
【００３６】
（４）設備管理者の携帯電話１７から異常メールを受信したことを知らせる返信メールを監視センターサーバ１０に送信するとともに、サーバ１０から各設備管理者の携帯電話１７に返信確認メールを送信するようにした。このため、異常の復旧作業にあたる特定の設備管理者を他の設備管理者にいち早く報知することができ、複数の設備管理者が同じ異常の復旧作業に駆けつけるという無駄をなくすことができる。
【００３７】
（５）異常が復旧した際に、データ監視装置１Ａ〜５Ａから復旧内容を電子データとしてドゥーパ（ＤｏＰａ）網８を介してパケット通信にて送信し、監視センターサーバ１０によってこれを受信する。そして、サーバ１０から各設備管理者の携帯電話１７に電子メールとして配信するようにした。このため、各設備管理者は異常が復旧したことをいち早く確認することできる。
【００３８】
なお、本実施形態は以下のように変更してもよい。
・  この発明を水道システムにおいて前記実施形態とは異なる箇所、例えば地下水を揚水する設備において、地下水位を監視項目とすること。
【００３９】
・  携帯端末としての携帯電話１７に代えて、携帯パソコンを用いてもよい。
前記実施形態から把握される請求項以外の技術的思想は以下の通りである。
（１）請求項１〜３のいずれか１項において、上水道は、前沈殿槽、滅菌槽、配水槽を備えており、各々に前記データ監視装置が設置されている上・下水道設備の遠隔監視システム。
【００４０】
（２）上記（１）において、前記配水槽のデータ監視装置は、配水池水位を監視することを特徴とする上・下水道施設用の遠隔監視システム。
（３）  請求項１〜請求項３のいずれか一項に記載の上・下水道施設用の遠隔監視システムにおいて、下水道は、中継ポンプ及び下水処理場を備えていることを特徴とする上・下水道施設用の遠隔監視システム。
【００４１】
【発明の効果】
以上詳述したように、本発明においては、上・下水道設備の管理及び監視を有効に実行できて、緊急事態が発生しても迅速に対応できるとともに、ランニングコストが大幅に低減できるという効果を発揮する。
【図面の簡単な説明】
【図１】本発明に係る遠隔監視システムを示す概略構成図。
【図２】本発明に係る通信処理手段を示す概略構成図。
【図３】データ監視装置の動作を示すフローチャート。
【図４】監視センターサーバの動作を示すフローチャート。
【図５】携帯電話の動作を示すフローチャート。
【符号の説明】１Ａ，１Ａ−３Ａ，１Ａ−５Ａ，２Ａ，３Ａ，４Ａ，５Ａ…データ監視装置、８…ドゥーパ網、１０…サーバ。
【図１】
2004187260.tif 000003
【図２】
2004187260.tif 000004
【図３】
2004187260.tif 000005
【図４】
2004187260.tif 000006
【図５】
2004187260.tif 000007